(57)【特許請求の範囲】
【請求項１】
電子機器グランドを有する電子機器の、スロットに挿入されて、この電子機器に電気的に接続されるカード装置であって、
坦体と、
前記坦体に設けられる単一のアンテナと、
前記坦体内に配設され、かつ前記アンテナに電気的に接続されるカードグランドと、
前記スロットに挿入された状態において、前記カードグランドを、前記電子機器グランドに、高周波的に接続／接続解除するスイッチとを備えたことを特徴とするカード装置。
【請求項２】
前記アンテナが受信した信号を入力し復調する復調手段と、
前記復調手段が復調した信号を入力し前記アンテナの通信状況の良否を判定する判定手段と、
前記判定手段の判定結果を参照して前記スイッチを制御する制御手段とを備えることを特徴とする請求項１記載のカード装置。
【請求項３】
前記アンテナは、前記坦体の外部に露呈するλ／４チップアンテナであることを特徴とする請求項１から３記載のカード装置。
【請求項４】
請求項１から３記載のカード装置がスロットに挿入された電子機器。
【発明の詳細な説明】
【０００１】
【発明の属する技術分野】
本発明は、電子機器のスロットに、着脱自在に挿入される小型のカード装置等に係り、小型であってもダイバーシチの効果が得られる無線装置に関するものである。
【０００２】
【従来の技術】
近年、アンテナを具備し、電子機器に無線通信機能を提供するカード装置等の無線装置が、広く利用されている。この種のカード装置としては、無線ＬＡＮ用のカード、カード型のモデムなどが代表的である。また、無線通信機能の追加だけでなく、メモリなどシステムリソースの追加を兼用したものある。本発明は、アンテナを具備する無線装置であれば、どのような種類の無線装置も対象とする。
【０００３】
そして、この種の無線装置には、複数のアンテナを持ち、アンテナダイバーシチを実現したものもある。このようにすると、アンテナダイバーシチにより、フェージングによる悪影響を軽減し、良好な通信状態を得やすくなり、好適である。
【０００４】
より具体的には、２本以上のアンテナを、物理的に離して、配置し、通信状態がより良いアンテナを選択する、空間ダイバーシチが利用される。つまり、アンテナの位置を離すことにより、アンテナ同士が電気的に結合せず、アンテナ個々が独自の放射特性を有するように、工夫している。
【０００５】
【発明が解決しようとする課題】
この種の無線装置には、「より小さく、より軽く」という要請がある。ここで、例えば、２．４ＧＨｚ帯の電波を使用する場合、ＰＣＭＣＩＡ（Ｐｅｒｓｏｎａｌ  Ｃｏｍｐｕｔｅｒ  Ｍｅｍｏｒｙ  Ｃａｒｄ  ＩｎｔｅｎａｔｉｏｎａｌＡｓｓｏｃｉａｔｉｏｎ）カード程度のサイズまでなら、何とか、２つのアンテナを、無線装置に実装することも可能である。
【０００６】
しかしながら、それよりも小さいサイズになると、スペース上の問題などから、現実には、２つのアンテナを離して実装することが困難であり、１つのアンテナしか実装できないことが多い。こうなると、空間ダイバーシチによる効果は、得られない。
【０００７】
この点、近年、アンテナを小型のチップにしたものも、市場に流通し始めているが、このような小型のアンテナを使用したとしても、上述と同様の問題がある。
【０００８】
そこで本発明は、単一のアンテナを用いながら、しかも、アンテナダイバーシチに似た効果が得られるカード装置を提供することを目的とする。
【０００９】
また本発明は、空間ダイバーシチの効果が得にくい、小型の無線装置であっても、ダイバーシチの効果が得られる、無線装置を提供することを目的とする。
【００１０】
【課題を解決するための手段】
本発明に係るカード装置は、電子機器グランドを有する電子機器の、スロットに挿入されて、この電子機器に電気的に接続され、坦体と、坦体に設けられる単一のアンテナと、坦体内に配設され、かつアンテナに電気的に接続されるカードグランドと、スロットに挿入された状態において、カードグランドを、電子機器グランドに、高周波的に接続／接続解除するスイッチとを備える。
【００１１】
この構成により、単一のアンテナを用いながら、しかも、アンテナダイバーシチに似た効果が得られる。つまり、カード装置をより小型化するのに、資することができる。
【００１２】
また、本発明に係る無線装置は、アンテナと、このアンテナに対して電気的に結合する結合素子とを備え、結合素子の電気的特性を変化可能とし、アンテナにより、複数の放射特性が得られるようにした。
【００１３】
この構成により、空間ダイバーシチの効果が得にくい、小型の無線装置であっても、ダイバーシチの効果が得られる。
【００１４】
【発明の実施の形態】
請求項１記載のカード装置は、電子機器グランドを有する電子機器の、スロットに挿入されて、この電子機器に電気的に接続され、坦体と、坦体に設けられる単一のアンテナと、坦体内に配設され、かつアンテナに電気的に接続されるカードグランドと、スロットに挿入された状態において、カードグランドを、電子機器グランドに、高周波的に接続／接続解除するスイッチとを備える。
【００１５】
この構成において、スイッチを切り替えることにより、単一のアンテナのみであっても、（１）カードグランドと電子機器グランドとを高周波的に接続する状態と、（２）カードグランドと電子機器グランドとを高周波的に接続しない状態との、２通りの放射特性を得ることができる。
【００１６】
ここで一般に、アンテナの放射特性は、アンテナそのものの特性と、カードグランドのパターン等によって、定まるが、カードグランドが電子機器グランドと高周波的に接続されると、アンテナの放射特性は、電子機器グランドの影響を受けることになる。
【００１７】
これらの２つの状態の、いずれがより好ましいかは、一概に知ることはできないが、電子機器グランドがうまく共振する場合は、接続する状態の方が、接続しない状態よりも、アンテナ性能（アンテナ利得、指向性等）の改善を期待できる。
【００１８】
このように、単一のアンテナのみによって、２通りの放射特性を選択できるようにしたため、アンテナダイバーシチと似た効果を享受でき、通信状況を向上できる。また、これにより、カード装置の小型化を、現実的に推進することができる。
【００１９】
請求項２記載のカード装置では、アンテナが受信した信号を入力し復調する復調手段と、復調手段が復調した信号を入力しアンテナの通信状況の良否を判定する判定手段と、判定手段の判定結果を参照してスイッチを制御する制御手段とを備える。
【００２０】
この構成により、カード装置自身が、より好ましい状態を選択するので、利便性を向上できる。また、電子機器側で、アンテナ切り替えを制御する必要が無く、電子機器に追加的な負担をかけることがない。
【００２１】
請求項３記載のカード装置では、アンテナは、坦体の外部に露呈するλ／４チップアンテナである。
【００２２】
この構成により、カード装置を、より容易に小型化できる。因みに、このアンテナでは、高誘電率材料を使用しており、比誘電率をεrとすると、λ／４√（εr）のサイズに小型化できる。
【００２３】
他の態様における無線装置では、アンテナと、このアンテナに対して電気的に結合する結合素子とを備え、結合素子の電気的特性を変化可能とし、アンテナにより、複数の放射特性が得られるようにした。
【００２４】
他の態様における無線装置では、アンテナと、アンテナに給電し、かつ、アンテナを介して情報を通信する無線モジュールと、アンテナに近接して配置され、かつ、アンテナに対して電気的に結合する結合素子と、結合素子と接地点との間に設けられるインピーダンス可変器とを備え、無線モジュールは、インピーダンス可変器を操作して、結合素子と接地点との間のインピーダンスを変更し、アンテナにより複数の放射特性が得られるようにした。
【００２５】
従来技術では、複数のアンテナが、互いに独自の放射特性を持つように、つまり、アンテナ同士の電気的な結合を避ける方向ばかりを研究してきた。
【００２６】
これに対し、本発明では、この電気的な結合を逆手にとって利用することを試み、実施の形態の項で後述するように、電気的な結合の度合いを変化させることで、１つのアンテナあたりに、複数の放射特性が得られる（つまり、ダイバーシチの効果がある）ことを見いだした。
【００２７】
本発明では、この知見に基づき以上のように構成したため、
▲１▼複数のアンテナを用意しなくとも、ダイバーシチの効果が得られる。
▲２▼結合素子の電気的特性を変化させるだけであり、アンテナ自体を切替えるわけではないから、通常のアンテナダイバーシチのように、アンテナから信号を受信するパスが瞬断されることがない。
▲３▼アンテナと結合素子（従来技術では、レイアウト上、別のアンテナに相当する部品）とを、むやみに離す必要はなく、むしろ接近させる方が好適であるから、部品を集中的にレイアウトでき、小型の無線装置に実装する際、有利である。
等の利点がある。
【００２８】
他の態様における無線装置では、インピーダンス可変器は、高インピーダンスと低インピーダンスとの２段階で、インピーダンスを変更する。
【００２９】
この構成により、シンプルな構成で、２通りの放射特性が得られ、ダイバーシチの効果が得られる。例えば、インピーダンス可変器は、単なるスイッチ（オン時は、インピーダンス０：オフ時はインピーダンス無限大）であっても良い。
【００３０】
他の態様における無線装置では、結合素子は、給電されないアンテナ用素子である。
【００３１】
この構成により、結合素子を、アンテナと同種の部品とすることができるため、部品品種を減らして、コストダウンをはかれる。
【００３２】
他の態様における無線装置では、結合素子は、回路パターンである。
【００３３】
この構成により、無線装置に元々存在する要素を、結合素子として利用でき、コストダウンをはかれる。
【００３４】
他の態様における無線装置では、結合素子は、この無線装置が装着される電子機器の構成部品である。
【００３５】
この構成により、電子機器の構成部品を、結合素子として流用することにより、部品点数を削減でき、コスト及びレイアウトの点で有利である。
【００３６】
他の態様における無線装置では、基板と、基板の一方の面に、近接して配置され、互いに電気的に結合する複数の面実装型アンテナと、これらのアンテナから通信に使用するアンテナを択一的に選択するアンテナスイッチと、アンテナスイッチにアンテナ切替信号を出力すると共に、アンテナスイッチが選択するアンテナに給電し、このアンテナを介して情報を通信する無線モジュールとを備える。
【００３７】
この構成により、アンテナの実装面積が狭く、空間ダイバーシチの効果を得にくい場合でも、指向性ダイバーシチの効果が得られる。また、面実装型アンテナが、基板の一方の面に集中して配置されるので、無線装置の厚さを、小さくすることができる。
【００３８】
以下図面を参照しながら、本発明の実施の形態について説明する。
（実施の形態１）
図１は、本発明の実施の形態１におけるカード装置と電子機器の概略平面図である。
【００３９】
図１に示すように、カード装置１０は、電子機器１００のスロット１０１に、着脱自在に挿入（矢印Ｎ１方向）され、電子機器１００に無線通信機能を提供する。
【００４０】
ここで、電子機器１００としては、パーソナルコンピュータ（ノート型でもデスクトップ型でも良い）、ＰＤＡ（携帯情報端末）、デジタルカメラなど、種々の情報処理装置が考えられる。
【００４１】
そして、これら電子機器１００は、内部に電子機器グランド１０２を有する。ところが、電子機器グランド１０２は、機器個々によって、サイズなどがさまざまであり、電子機器グランド１０２がアンテナ１２の特性向上に寄与するか否か、あるいは、その寄与度は、一般に、不明である。
【００４２】
また、カード装置１０は、カード状に形成される坦体１１や、坦体１１上に設けられる単一のアンテナ１２を有する。ここでは、アンテナ１２として、通信に使用する電波の波長をλとしたときに、λ／４チップアンテナを用いている。これによると、カード装置を小型化しやすく便利である。
【００４３】
なお、これに代えて、回路パターンでアンテナ１２を構成することもできる。そして、カード装置１０も電子機器１００と同様に、坦体１１の内部に、カードグランド１３を有する。また、通常、カードグランド１３及び電子機器グランド１０２は、プリント基板上の回路パターンとして形成される。なお、坦体１１の内部には、通常、プリント基板が設けられる。
【００４４】
次に、図２を用いて、実施の形態１における無線装置である、カード装置１０の構成を説明する。図２は、本発明の実施の形態１におけるカード装置の機能ブロック図である。
【００４５】
図２において、スイッチ１４は、カード装置１０がスロット１０１に挿入された際、制御手段１７からの切替信号に応じて、カードグランド１３と電子機器グランド１０２とを、高周波的に、接続／接続解除する。なお、カード装置１０がスロット１０１に挿入された際、制御手段１７からの切替信号にかかわらず、カードグランド１３と電子機器グランド１０２とは、直流的には、導通している。
【００４６】
また、復調手段１５は、アンテナ１２の受信信号を入力し、これを復調して、復調信号を判定手段１６へ出力する。
【００４７】
判定手段１６は、復調手段１５の復調信号を入力し、現在のアンテナ１２による通信状況が、良好か否か判定する。判定手段１６の判定基準としては、ビットエラーレート（誤り率）、ＣＲＣ（Ｃｙｃｌｉｃ  Ｒｅｄｕｎｄａｎｃｙ  Ｃｈｅｃｋ）、復調信号の強度等、アンテナ１２の通信状況の客観的な指標となるものであれば、任意に選択できる。
【００４８】
制御手段１７は、復調手段１５、判定手段１６、スイッチ１４等を制御するものであり、判定手段１６の判定結果をメモリ１８に格納すると共に、メモリ１８に格納した情報を参照して、スイッチ１４に、より好ましい通信状態になるように、切替信号を出力する。
【００４９】
なお、制御手段１７がメモリ１８の情報を参照して、常時、スイッチ１４に１つの状態をとるように切替信号を出力するようにしても良いし、あるいは、周波数が異なる複数のチャンネルを使用して、通信を行う場合には、チャンネル毎に、必要に応じて、スイッチ１４を切り替えるようにしてもよい。
【００５０】
また、実施の形態１では、復調手段１５、判定手段１６、制御手段１７及びメモリ１８が、実施の形態２以降における、無線モジュールに相当する。
【００５１】
（実施の形態２）
次に、本発明の実施の形態２における、無線装置を説明する。まず、この無線装置は、アンテナと、このアンテナに対して電気的に結合する結合素子とを備えている。
【００５２】
後述する測定例が示すように、結合素子の電気的特性が変化すると、結合素子に電気的に結合するアンテナの放射特性が変化する。このことを利用して、単一のアンテナにより、複数の放射特性が得られ、これらの放射特性を切り替えることで、アンテナダイバーシチの効果を得るものである。
【００５３】
本形態では、アンテナと結合素子とを、わざと電気的に結合させ、この結合の度合いを変化させている。
【００５４】
図３は、本発明の実施の形態２における無線装置のブロック図である。図３において、アンテナ２０と、結合素子２１とは、近接して配置され、結合素子２１は、アンテナ２０に電気的に結合する。
【００５５】
アンテナ２０は、特殊なものである必要はなく、例えば、周波数帯が２．４ＧＨｚあるいは５ＧＨｚ程度であり、小型の無線装置を構成する際には、面実装型の積層セラミックチップアンテナ、マイクロストリップラインアンテナ、パッチアンテナ、スパイラルアンテナ等を用いることができる。
【００５６】
結合素子２１としては、設計段階で諸元が明らかなもの（アンテナ２０と同様のアンテナ等）が望ましいが、設計段階で諸元が不明なもの（この無線装置が装着される電子機器の構成部品など）を用いることもできる。
【００５７】
本形態で重要な点は、アンテナ２０には、情報の通信を行うための給電が行われるが、結合素子２１には、この給電が行われないことである。したがって、結合素子２１に、元々アンテナとして使用することを前提とする部品を使用しても、この部品は、アンテナとして動作するのではなく、あくまで、アンテナ２０に結合する結合素子としてのみ動作する。
【００５８】
アンテナ２０の後段には、整合回路２２が接続され、結合素子２１の後段には、整合回路２３が接続される。これらの整合回路２２、２３は、それぞれフィルタを含んでいる。
【００５９】
整合回路２２の後段には、給電線Ｌを介して無線モジュール２４が接続される。また、整合回路２３の後段には、インピーダンス可変器２５が接続され、インピーダンス可変器２５は、さらに無線装置の接地点に接続される。
【００６０】
インピーダンス可変器２５は、結合素子２１と接地点との間のインピーダンスを定める。ここでは、インピーダンス可変器２５として、高インピーダンス（インピーダンス無限大）と低インピーダンス（インピーダンス０）との２段階で、インピーダンスを変更する、スイッチを使用している。
【００６１】
このインピーダンスを変化させると、結合素子２１の電気的特性が変化し、その影響を受けて、アンテナ２０の放射特性が変化する。したがって、このようにすると、アンテナ２０の放射特性が２通り得られることになる。
【００６２】
ここで、インピーダンス可変器２５をインピーダンスブリッジあるいは可変抵抗などで構成してもよく、こうすると、そのインピーダンスを、より多段階あるいは無段階に変化させることができ、より他種類の放射特性が得られる。
【００６３】
無線モジュール２４は、次の要素を有する。まず、スイッチ２４１は、給電線Ｌを、送信側と受信側とで、択一的に切り替える。送信側には、パワーアンプ２４２の出力端が接続され、受信側には、ローノイズアンプ２４３の入力端が接続される。また、パワーアンプ２４２及びローノイズアンプ２４３には、電力源２４４が接続される。
【００６４】
さらに、無線モジュール２４は、変復調回路２４５を備えており、変復調回路２４５は、送信時には、無線装置外から得た送信情報を変調してパワーアンプ２４２に出力し、受信時には、ローノイズアンプ２４３から得た波形を復調して、無線装置外へ受信情報を出力する。
【００６５】
また、変復調回路２４５は、インピーダンス可変器２５にインピーダンス制御信号Ｓ１を出力し、結合素子２１と接地点との間のインピーダンスを制御する。即ち、このインピーダンス制御信号Ｓ１が変化すると、アンテナ２０の放射特性が変化する。
【００６６】
（実装例１）
次に、図４及び図５を用いて、実施の形態２における実装例１と、それによるアンテナ２０の放射特性の測定例を説明する。
【００６７】
この実装例では、図４に示すように、アンテナ２０として、積層セラミックチップアンテナ２１１を用いている。そして、プリント基板２６の片面に、アンテナ２０と積層セラミックチップアンテナ２１１とを近接して配置し、積層セラミックチップアンテナ２１１がアンテナ２０に電気的に結合するようにしている。
【００６８】
さらに詳しくは、プリント基板２６のサイズは、縦５０ｍｍ、横２５ｍｍであり、アンテナ２０及び積層セラミックチップアンテナ２１１として、ヨコオ製  型番ＹＣＥ−５２０８なる、アンテナを使用し、インピーダンス可変器２５として、ＮＥＣ製  型番ＵＰＧ１５２ＴＡなる、スイッチを使用した。
【００６９】
また、注意深く用意された測定室内において、床面より高さ２．５ｍ、受信側から４ｍの距離を隔てて、２．４４ＧＨｚの周波数を使用し、この実装例による無線装置を送信側に配置し、測定を行った。
【００７０】
その結果の一例は、図５に示すとおりである。図５（ａ）は、スイッチをオープン（つまりインピーダンス無限大）として測定した、アンテナ２０の放射特性であり、０［ｄｅｇ］の方向がＸ方向、−９０［ｄｅｇ］の方向がＹ方向である。
【００７１】
また、同様に、図５（ｂ）は、スイッチをショート（つまりインピーダンス０）として、測定した結果を示す。
【００７２】
図５（ａ）、（ｂ）を比較すれば明らかなように、単一のアンテナ２０（積層セラミックチップアンテナ２１１はアンテナとして動作しない）により、インピーダンス可変器２５に相当する、スイッチを、オン／オフすることだけで、異なる放射特性が得られている。
【００７３】
（実装例２）
本例は、図６に示すように、実装例１と異なり、結合素子２１として、プリント基板２６の回路パターンで形成した、マイクロストリップラインアンテナ２１２を使用した。その他の点は、実装例１と同様であり、その測定例は、図７（ａ）、（ｂ）に示すとおりである。
【００７４】
図７（ａ）、（ｂ）を比較すれば明らかなように、単一のアンテナ２０（マイクロストリップラインアンテナ２１２はアンテナとして動作しない）により、インピーダンス可変器２５に相当する、スイッチを、オン／オフすることだけで、異なる放射特性が得られている。
【００７５】
（実装例３及び４）
実装例１、２は、設計段階で諸元が明らかな結合素子２１を使用した。しかし、図８及び図９に示すように、設計段階で諸元が不明な結合素子２１を使用することもできる。
【００７６】
図８の例では、プリント基板２６の側部に、導電性を持つ接続点２１３を設け、この接続点２１３にインピーダンス可変器２５を接続している。そして、この無線装置を、パーソナルコンピュータなどの電子機器に装着して使用する際、接続点２１３を介して、この電子機器のグランド１０２にインピーダンス可変器２５を接続する。
【００７７】
結局、こうすると、実施の形態１とほぼ同様の構成となり、インピーダンス可変器２５をオン／オフすることで、単一のアンテナ２０について、２通りの放射特性が得られる。
【００７８】
さらには、図９（ａ）に示すように、逆Ｕ字状のベルト部３３と、その両端にそれぞれ固定される、２つのパッド部３１、３２を持つ、ヘッドフォン３０にも、適用できる。このようなヘッドフォン３０は、通常、ベルト部３３の内部に、補強又はその他の目的により、金属製のワイヤフレーム３３１を備えていることが多い。
【００７９】
そして、図９（ｂ）に拡大して示しているように、図８に示した、接続点２１３と同様の部材を、プリント基板２６に設け、この接続点２１３をワイヤフレーム３３１に電気的に接続するとよい。
【００８０】
その他、種々の実装例が考えられるが、設計段階で諸元が不明な結合素子２１を使用しても、インピーダンス可変器２５をオン／オフすることで、アンテナ２０の放射特性が何らかの変化を起こす限り、ダイバーシチの効果を得ることができる。
【００８１】
（実施の形態３）
図１０は、本発明の実施の形態３における無線装置のブロック図である。図中、実施の形態２と同様の構成要素については、同一符号を付すことにより、説明を省略する。
【００８２】
さて、図１１に示すように、実施の形態３では、２つの面実装型のアンテナ２０、４０を、プリント基板２６の片面に接近させて配置し、これらのアンテナ２０、４０が互いに電気的に結合するようにしている。
【００８３】
また、アンテナ２０、４０は、特殊なものである必要はなく、例えば、周波数帯が２．４ＧＨｚあるいは５ＧＨｚ程度であり、小型の無線装置を構成する際には、面実装型の積層セラミックチップアンテナ、マイクロストリップラインアンテナ、パッチアンテナ、スパイラルアンテナ等を用いることができる。
【００８４】
図１０に示すように、変復調回路２４５からアンテナスイッチ４１にアンテナ切替信号Ｓ２が出力される。アンテナスイッチ４１は、アンテナ切替信号Ｓ２に従って、これらのアンテナ２０、４０から通信に使用するアンテナを択一的に選択する。
【００８５】
ここで、実施の形態２とは異なり、選択されたアンテナ（アンテナ４０も含む）は、給電線Ｌにより給電され、アンテナとして動作する。
【００８６】
本形態によると、アンテナの実装面積が狭く、空間ダイバーシチの効果を得にくい場合でも、指向性ダイバーシチの効果を提供できる。
【００８７】
さらに、面実装型アンテナが、基板の一方の面に集中して配置されるので、無線装置を、薄く構成できる。
【００８８】
なお以上、実施の形態２、３の説明において、無線モジュール２４が、変調及び復調の両方を行う例を説明したが、無線モジュール２４が、これらの片方のみ行う場合にも、本発明は同様に適用できる。
【００８９】
【発明の効果】
請求項１記載の発明によれば、単一のアンテナのみであっても、２通りの放射特性を得て、アンテナダイバーシチと似た効果を奏することができ、通信状況を改善できる。
【００９０】
請求項２記載の発明によれば、利便性を向上できるし、電子機器に追加的な負担をかけることがない。
【００９１】
請求項３記載の発明によれば、カード装置の小型化を、より容易にすることができる。
【図面の簡単な説明】
【図１】本発明の実施の形態１におけるカード装置と電子機器の概略平面図
【図２】本発明の実施の形態１におけるカード装置の機能ブロック図
【図３】本発明の実施の形態２における無線装置のブロック図
【図４】本発明の実施の形態２における無線装置の平面図
【図５】（ａ）本発明の実施の形態２におけるアンテナの放射特性を示すグラフ
（ｂ）本発明の実施の形態２におけるアンテナの放射特性を示すグラフ
【図６】本発明の実施の形態２における無線装置の平面図
【図７】（ａ）本発明の実施の形態２におけるアンテナの放射特性を示すグラフ
（ｂ）本発明の実施の形態２におけるアンテナの放射特性を示すグラフ
【図８】本発明の実施の形態２における無線装置の平面図
【図９】（ａ）本発明の実施の形態２における無線装置を備えたヘッドフォンの正面図
（ｂ）同ヘッドフォンの一部拡大図
【図１０】本発明の実施の形態３における無線装置のブロック図
【図１１】本発明の実施の形態３における無線装置の平面図
【符号の説明】
１０  カード装置
１１  坦体
１２、２０、４０  アンテナ
１３  カードグランド
１４  スイッチ
１５  復調手段
１６  判定手段
１７  制御手段
１８  メモリ
１００  電子機器
１０１  スロット
１０２  電子機器グランド
２１  結合素子
２２、２３  整合回路
２４  無線モジュール
２６  プリント基板
３０  ヘッドフォン
３１、３２  パッド部
３３  ベルト部
４１  アンテナスイッチ
【図１】
0003947812.tif 000002
【図２】
0003947812.tif 000003
【図３】
0003947812.tif 000004
【図４】
0003947812.tif 000005
【図５】
0003947812.tif 000006
【図６】
0003947812.tif 000007
【図７】
0003947812.tif 000008
【図８】
0003947812.tif 000009
【図９】
0003947812.tif 000010
【図１０】
0003947812.tif 000011
【図１１】
0003947812.tif 000012